(57)【特許請求の範囲】
【請求項１】
ユーザの指示に従い、画像形成装置により実行された複数の画像形成処理の設定内容の履歴を示す履歴データを取得する履歴データ取得手段と、
前記履歴データに基づき、複数の設定項目に関し設定内容の最頻値の頻度を特定する最頻値特定手段と、
前記最頻値の頻度と、設定項目の既定値と前記履歴データが示す設定内容とが異なる頻度とに基づき、前記複数の設定項目からユーザに提示される設定項目を選択する設定項目選択手段と
を備える画像形成装置のためのデータ生成装置。
【請求項２】
ユーザの指示に従い、画像形成装置により実行された複数の画像形成処理の設定内容の履歴を示す履歴データを取得する履歴データ取得手段と、
前記履歴データに基づき、複数の設定項目に関し設定内容の最頻値を特定する最頻値特定手段と、
前記最頻値と前記履歴データが示す設定内容とが異なる頻度に基づき、前記複数の設定項目からユーザに提示される設定項目を選択する設定項目選択手段と
を備える画像形成装置のためのデータ生成装置。
【請求項３】
前記最頻値に基づき、前記複数の設定項目に関し新たな既定値を選択する既定値選択手段
を備える請求項１または２に記載の画像形成装置のためのデータ生成装置。
【請求項４】
前記履歴データは画像形成処理の属性を示し、
前記履歴データが示す設定内容の履歴から、特定の属性に応じた設定内容の履歴を抽出する履歴抽出手段を備え、
前記最頻値特定手段は、前記履歴抽出手段により抽出された設定内容の履歴に基づき前記特定を行い、
前記設定項目選択手段は、前記履歴抽出手段により抽出された設定内容の履歴に基づき前記選択を行う
請求項１乃至３のいずれか１項に記載のデータ生成装置。
【請求項５】
前記画像形成装置による画像形成処理に関する互いに両立しない複数の設定内容の組み合わせを示す両立不可設定内容データを取得する両立不可設定内容データ取得手段を備え、
前記既定値選択手段は、前記両立不可設定内容データが示す組み合わせが含まれないように、前記既定値の選択を行う
請求項３に記載のデータ生成装置。
【請求項６】
前記既定値選択手段により選択された既定値に、前記両立不可設定内容データが示す組み合わせに含まれる一の設定内容が含まれる場合、前記設定項目選択手段は、当該組み合わせに含まれる設定内容のうち前記一の設定内容とは異なる１以上の設定内容の設定項目を前記ユーザに提示される設定項目として選択する
請求項５に記載のデータ生成装置。
【請求項７】
前記画像形成装置による画像形成処理に関する互いに代替される複数の設定内容の組み合わせを示す代替可能設定内容データを取得する代替可能設定内容データ取得手段と、
前記画像形成装置による画像形成処理において採用できない設定内容を示す採用不可設定内容データを取得する採用不可設定内容データ取得手段と、
前記既定値選択手段により選択された既定値に、前記採用不可設定内容データが示す採用できない設定内容が含まれる場合、当該採用できない設定内容に代えて、前記代替可能設定内容データが示す、当該採用できない設定内容と代替される設定内容が既定値に含まれるように、前記既定値選択手段により選択された既定値を変更する既定値変更手段と
を備える請求項３、５、６のいずれか１項に記載のデータ生成装置。
【請求項８】
複数の画像形成装置の各々による画像形成処理に関する設定内容のうち同種の設定内容の組み合わせを示す同種設定内容データを取得する同種設定内容データ取得手段を備え、
前記履歴データ取得手段は、複数の画像形成装置の各々により実行された画像形成処理に関する履歴データを取得し、
前記最頻値特定手段は、前記同種設定内容データが示す同種の設定内容を同一の設定内容とみなして前記特定を行い、
前記設定項目選択手段は、前記同種設定内容データが示す同種の設定内容の設定項目を同一の設定項目とみなして前記選択を行い、
前記既定値選択手段は、選択した既定値を、前記同種設定内容データを用いて前記複数の画像形成装置の各々に応じた既定値に変更し、
前記設定項目選択手段は、選択した設定項目を、前記同種設定内容データを用いて前記複数の画像形成装置の各々に応じた設定項目に変更する
請求項３、５乃至７のいずれか１項に記載のデータ生成装置。
【請求項９】
請求項３、５乃至８のいずれか１項に記載のデータ生成装置と、
シート状媒体に画像を形成する画像形成装置と、
制御装置と
を備え、
前記制御装置は、
前記設定項目選択手段により選択された設定項目と、当該設定項目に関し前記既定値選択手段により選択された既定値とを含む画面の表示を表示装置に指示する表示指示手段と、
前記表示装置による前記画面の表示に応じてユーザにより入力された設定内容を示す設定内容データを取得する設定内容データ取得手段と、
前記既定値選択手段により選択された既定値および前記設定内容データに基づき特定される設定内容に従った画像形成が行われるように前記画像形成装置を制御する画像形成制御手段と
を有する
画像形成システム。
【請求項１０】
コンピュータに、
ユーザの指示に従い、画像形成装置により実行された複数の画像形成処理の設定内容の履歴を示す履歴データを取得する処理と、
前記履歴データに基づき、複数の設定項目に関し設定内容の最頻値の頻度を特定する処理と、
前記最頻値の頻度と、設定項目の既定値と前記履歴データが示す設定内容とが異なる頻度とに基づき、前記複数の設定項目からユーザに提示される設定項目を選択する処理と
を実行させるためのプログラム。
【請求項１１】
コンピュータに、
ユーザの指示に従い、画像形成装置により実行された複数の画像形成処理の設定内容の履歴を示す履歴データを取得する処理と、
前記履歴データに基づき、複数の設定項目に関し設定内容の最頻値を特定する処理と、
前記最頻値と前記履歴データが示す設定内容とが異なる頻度に基づき、前記複数の設定項目からユーザに提示される設定項目を選択する処理と
を実行させるためのプログラム。
【発明の詳細な説明】
【技術分野】
【０００１】
本発明は、画像形成装置のユーザの利便性を高めるための技術に関する。
【背景技術】
【０００２】
画像形成装置のユーザは、所望する成果物を得るために画像形成処理に関する様々な設定を行う必要がある。
【０００３】
画像形成装置に対するユーザの設定作業を支援するための技術が提案されている。例えば、特許文献１においては、画像形成装置に対し行われた操作の履歴に基づいて、設定された頻度の高いパラメータを含むテンプレートを生成する仕組みが提案されている。また、特許文献２においては、画像形成装置のユーザの好みや習熟度に応じて、機能を選択する画面のレイアウト等を切り替える仕組みが提案されている。また、特許文献３においては、画像形成装置に対し行われたユーザの操作の履歴に基づいて、設定画面の遷移等を再現する仕組みが提案されている。
【先行技術文献】
【特許文献】
【０００４】
【特許文献１】特開２００８−２１０３８３号公報
【特許文献２】特開２００９−１４５９０３号公報
【特許文献３】特開２００７−２０８４４０号公報
【発明の概要】
【発明が解決しようとする課題】
【０００５】
画像形成装置のあるものは、ユーザが設定内容の変更を行う際の手間を軽減するために、ユーザにより頻繁に設定内容が変更される設定項目をお気に入り画面に表示する機能を有している。従来技術によれば、お気に入り画面に表示される設定項目は、ユーザにより設定された頻度の高い設定内容を既定値として示すテンプレートとは個別に選択される。そのため、テンプレートの更新により設定内容を頻繁に変更する必要がなくなった設定項目がお気に入り画面に表示され、本来お気に入り画面に表示されるべき設定項目が表示されない、という不都合が生じる場合がある。本発明の目的は、テンプレートと整合性のとれたお気に入り画面を提供することで、画像形成装置のユーザが設定変更を行う際の手間を軽減することである。
【課題を解決するための手段】
【０００６】
本発明は、ユーザの指示に従い、画像形成装置により実行された複数の画像形成処理の設定内容の履歴を示す履歴データを取得する履歴データ取得手段と、前記履歴データに基づき、複数の設定項目に関し設定内容の最頻値の頻度を特定する最頻値特定手段と、前記最頻値の頻度と、設定項目の既定値と前記履歴データが示す設定内容とが異なる頻度とに基づき、前記複数の設定項目からユーザに提示される設定項目を選択する設定項目選択手段とを備える画像形成装置のためのデータ生成装置を第１の態様として提案する。
【０００７】
また、本発明は、ユーザの指示に従い、画像形成装置により実行された複数の画像形成処理の設定内容の履歴を示す履歴データを取得する履歴データ取得手段と、前記履歴データに基づき、複数の設定項目に関し設定内容の最頻値を特定する最頻値特定手段と、前記最頻値と前記履歴データが示す設定内容とが異なる頻度に基づき、前記複数の設定項目からユーザに提示される設定項目を選択する設定項目選択手段とを備える画像形成装置のためのデータ生成装置を第２の態様として提案する。
【０００８】
また、本発明は、上記の第１または第２の態様にかかるデータ生成装置において、前記最頻値に基づき、前記複数の設定項目に関し新たな既定値を選択する既定値選択手段を備える、という構成を第３の態様として提案する。
【０００９】
また、本発明は、上記の第１乃至第３のいずれかの態様にかかるデータ生成装置において、前記履歴データは画像形成処理の属性を示し、前記履歴データが示す設定内容の履歴から、特定の属性に応じた設定内容の履歴を抽出する履歴抽出手段を備え、前記最頻値特定手段は、前記履歴抽出手段により抽出された設定内容の履歴に基づき前記特定を行い、前記設定項目選択手段は、前記履歴抽出手段により抽出された設定内容の履歴に基づき前記選択を行う、という構成を第４の態様として提案する。
【００１０】
また、本発明は、上記の第３の態様にかかるデータ生成装置において、前記画像形成装置による画像形成処理に関する互いに両立しない複数の設定内容の組み合わせを示す両立不可設定内容データを取得する両立不可設定内容データ取得手段を備え、前記既定値選択手段は、前記両立不可設定内容データが示す組み合わせが含まれないように、前記既定値の選択を行う、という構成を第５の態様として提案する。
【００１１】
また、本発明は、上記の第５の態様にかかるデータ生成装置において、前記既定値選択手段により選択された既定値に、前記両立不可設定内容データが示す組み合わせに含まれる一の設定内容が含まれる場合、前記設定項目選択手段は、当該組み合わせに含まれる設定内容のうち前記一の設定内容とは異なる１以上の設定内容の設定項目を前記ユーザに提示される設定項目として選択する、という構成を第６の態様として提案する。
【００１２】
また、本発明は、上記の第３、第５、第６のいずれかの態様にかかるデータ生成装置において、前記画像形成装置による画像形成処理に関する互いに代替される複数の設定内容の組み合わせを示す代替可能設定内容データを取得する代替可能設定内容データ取得手段と、前記画像形成装置による画像形成処理において採用できない設定内容を示す採用不可設定内容データを取得する採用不可設定内容データ取得手段と、前記既定値選択手段により選択された既定値に、前記採用不可設定内容データが示す採用できない設定内容が含まれる場合、当該採用できない設定内容に代えて、前記代替可能設定内容データが示す、当該採用できない設定内容と代替される設定内容が既定値に含まれるように、前記既定値選択手段により選択された既定値を変更する既定値変更手段とを備える、という構成を第７の態様として提案する。
【００１３】
また、本発明は、上記の第３、第５乃至第７のいずれかの態様にかかるデータ生成装置において、複数の画像形成装置の各々による画像形成処理に関する設定内容のうち同種の設定内容の組み合わせを示す同種設定内容データを取得する同種設定内容データ取得手段を備え、前記履歴データ取得手段は、複数の画像形成装置の各々により実行された画像形成処理に関する履歴データを取得し、前記最頻値特定手段は、前記同種設定内容データが示す同種の設定内容を同一の設定内容とみなして前記特定を行い、前記設定項目選択手段は、前記同種設定内容データが示す同種の設定内容の設定項目を同一の設定項目とみなして前記選択を行い、前記既定値選択手段は、選択した既定値を、前記同種設定内容データを用いて前記複数の画像形成装置の各々に応じた既定値に変更し、前記設定項目選択手段は、選択した設定項目を、前記同種設定内容データを用いて前記複数の画像形成装置の各々に応じた設定項目に変更する、という構成を第８の態様として提案する。
【００１４】
また、本発明は、上記の第３、第５乃至第８のいずれかの態様にかかるデータ生成装置と、シート状媒体に画像を形成する画像形成装置と、制御装置とを備え、前記制御装置は、前記設定項目選択手段により選択された設定項目と、当該設定項目に関し前記既定値選択手段により選択された既定値とを含む画面の表示を表示装置に指示する表示指示手段と、前記表示装置による前記画面の表示に応じてユーザにより入力された設定内容を示す設定内容データを取得する設定内容データ取得手段と、前記既定値選択手段により選択された既定値および前記設定内容データに基づき特定される設定内容に従った画像形成が行われるように前記画像形成装置を制御する画像形成制御手段とを有する画像形成システムを第９の態様として提案する。
【００１５】
また、本発明は、コンピュータに、ユーザの指示に従い、画像形成装置により実行された複数の画像形成処理の設定内容の履歴を示す履歴データを取得する処理と、前記履歴データに基づき、複数の設定項目に関し設定内容の最頻値の頻度を特定する処理と、前記最頻値の頻度と、設定項目の既定値と前記履歴データが示す設定内容とが異なる頻度とに基づき、前記複数の設定項目からユーザに提示される設定項目を選択する処理とを実行させるためのプログラムを第１０の態様として提案する。
【００１６】
また、本発明は、コンピュータに、ユーザの指示に従い、画像形成装置により実行された複数の画像形成処理の設定内容の履歴を示す履歴データを取得する処理と、前記履歴データに基づき、複数の設定項目に関し設定内容の最頻値を特定する処理と、前記最頻値と前記履歴データが示す設定内容とが異なる頻度に基づき、前記複数の設定項目からユーザに提示される設定項目を選択する処理とを実行させるためのプログラムを第１１の態様として提案する。
【発明の効果】
【００１７】
請求項１、請求項２、請求項１０または請求項１１によれば、画像形成装置のユーザに提示される設定項目の選択において、新たに選択される既定値の設定項目の少なくとも一部が選択されず、設定内容の変更の頻度が低い設定項目がユーザに提示されるという不都合が回避される。そのため、ユーザが設定変更を行う際の手間が軽減される。
【００１８】
請求項３によれば、ユーザが画像形成において頻繁に選択する設定内容が既定値として選択されるため、ユーザが設定変更を行う頻度が下がる。
【００１９】
請求項４によれば、画像形成処理に関する複数の属性の各々に応じた設定項目がユーザに提示される設定項目として選択される。
【００２０】
請求項５によれば、互いに両立しない複数の設定内容を既定値として示すことのない既定値が選択される。
【００２１】
請求項６によれば、互いに両立しない複数の設定内容の設定項目を示す設定項目が選択される。この選択された設定項目がユーザに提示されれば、ユーザは互いに両立しない複数の設定項目の各々の設定内容を確認または変更を容易に行うことができる。
【００２２】
請求項７によれば、選択された既定値が画像形成装置において採用できない場合、当該既定値が、画像形成装置において採用可能な設定内容に変更されるため、ユーザが設定内容の変更を行う手間が軽減される。
【００２３】
請求項８によれば、設定項目および設定内容が互いに異なる複数の画像形成装置に関する共通性を有する設定内容と既定値の選択が行われる。
【００２４】
請求項９によれば、ユーザは画像形成装置の画面に表示される設定項目の設定内容を確認または変更することで、負担を感じることなく所望の成果物を得ることができる。
【図面の簡単な説明】
【００２５】
【図１】一実施形態にかかる画像形成システムの構成を示した図。
【図２】一実施形態にかかる画像形成システムにおいて表示される設定画面を例示した図。
【図３】一実施形態にかかる履歴データの構成を例示した図。
【図４】一実施形態にかかる両立不可設定内容データテーブルの構成を例示した図。
【図５】一実施形態にかかる設定内容既定値データの構成を例示した図。
【図６】一実施形態にかかる選択設定項目データの構成を例示した図。
【図７】一実施形態にかかる代替可能設定内容データテーブルの構成を例示した図。
【図８】一実施形態にかかる設定アシストデータ生成装置の構成を示した図。
【図９】一実施形態にかかる設定アシストデータ生成装置が行う処理のフローを示した図。
【図１０】一変形例にかかる設定アシストデータ生成装置が行う処理のフローを示した図。
【図１１】一変形例にかかる同種設定内容データの構成を例示した図。
【図１２】一変形例にかかる設定アシストデータ生成装置が行う処理のフローを示した図。
【発明を実施するための形態】
【００２６】
［実施形態］
以下に本発明の一実施形態にかかる画像形成システム１を説明する。図１は画像形成システム１の構成を示した図である。画像形成システム１には、画像形成の対象となるテキストや図形等のコンテンツを示すコンテンツデータを記憶する記憶装置２と、ユーザが画像形成を画像形成システム１に指示するために用いるホスト装置３が接続されている。記憶装置２に記憶されているコンテンツデータは、ホスト装置３を介して画像形成システム１に引き渡される場合と、ホスト装置３を介さずに画像形成システム１によって読み出される場合がある。
【００２７】
画像形成システム１は、シート状媒体に画像を形成する画像形成装置１１と、ユーザインタフェースの役割を果たすタッチディスプレイ１２と、画像形成システム１における各種制御を行う制御装置１３を備える。
【００２８】
画像形成装置１１が行う画像形成の方式は、例えば電子写真方式であるが、インクジェット方式等の他の方式であってもよい。タッチディスプレイ１２はユーザに対し各種情報を表示するディスプレイ１２１と、ユーザによる操作を受け付けるタッチパネル１２２を備える。
【００２９】
制御装置１３は、記憶装置２またはホスト装置３からコンテンツデータを取得するコンテンツデータ取得部１３１と、画像形成装置１１により行われる画像形成を制御する画像形成制御部１３２と、画像形成装置１１から採用不可設定内容データを取得する採用不可設定内容データ取得部１３３を備える。
【００３０】
採用不可設定内容データは、画像形成装置１１において採用できない設定内容を示すデータである。例えば、第１排出トレイと第２排出トレイを備える画像形成装置１１において、第２排出トレイが一時的に取り外されている等の理由で使用できない場合、設定項目「排出トレイ」における設定内容「第２排出トレイ」は指定されても画像形成装置１１が画像形成処理において採用することができない。この場合、採用不可設定内容データは、設定項目「排出トレイ」における設定内容「第２排出トレイ」を採用できない設定内容として示す。
【００３１】
制御装置１３は、さらに、ディスプレイ１２１に対し設定画面等の表示を指示する表示指示部１３４と、タッチパネル１２２に対しユーザが行った操作を示す操作データを取得する操作データ取得部１３５を備える。操作データ取得部１３５が取得する操作データには、ディスプレイ１２１に表示された設定画面においてユーザが指定した設定内容を示す設定内容データが含まれる。従って、操作データ取得部１３５は設定内容データを取得する設定内容データ取得部としての役割を果たす。
【００３２】
制御装置１３は、さらに、設定画面におけるユーザの設定作業の負担を軽減するためのデータである設定アシストデータを生成する設定アシストデータ生成装置１３６と、設定アシストデータ生成装置１３６により生成されて記憶部１３８に記憶されている複数の設定アシストデータの中から適切な設定アシストデータを選択する設定アシストデータ選択部１３７を備える。
【００３３】
設定アシストデータは、設定アシストデータ生成装置１３６により、複数のユーザの各々に応じて生成される。設定アシストデータには、複数の設定項目の各々に関し設定内容の既定値を示すデータである設定内容既定値データと、特定の設定画面においてユーザに提示される１以上の設定項目を示す選択設定項目データが含まれる。
【００３４】
設定内容既定値データは、一般にテンプレートデータ等の呼び名で呼ばれるデータであり、過去にユーザが画像形成システム１に対し指示した画像形成処理において採用された設定内容の最頻値の多くを既定値として示す。従って、ユーザが画像形成処理に関する設定を行う際、設定内容既定値データが示す設定内容の既定値が予め制御装置１３に設定されていると、ユーザがホスト装置３やタッチパネル１２２等を操作して設定内容の変更を行う頻度が低くなり、ユーザの設定作業における負担が軽減される。
【００３５】
選択設定項目データは、一般にお気に入り画面等の呼び名で呼ばれる設定画面において表示される設定項目を示すデータであり、選択設定項目データが示す設定項目は、ユーザが設定内容を変更可能な複数の設定項目のうち、過去にユーザが設定内容を変更した頻度が高い順に選択された設定項目である。従って、ユーザが画像形成処理に関する設定を行う際、選択設定項目データが示す設定項目が提示されると、ユーザは設定内容を変更したい設定項目を表示させるための操作を要する頻度が低くなり、ユーザの設定作業における負担が軽減される。
【００３６】
画像形成システム１において用いられる設定内容既定値データおよび選択設定項目データは、従来技術におけるテンプレートデータやお気に入り画面の生成に用いられるデータとは異なり、それらの整合性が取られるように生成されている。すなわち、従来技術のけるテンプレートデータとお気に入り画面は、個別に生成され、それらの整合性が取られていない。
【００３７】
例えば、ユーザが頻繁に設定内容の変更を行っていた設定項目（以下、「設定項目Ａ」とする）をお気に入り画面に表示されるように登録したとする。その後、ユーザが設定項目Ａに関し、頻繁に設定する設定内容（以下、「設定内容Ｘ」とする）を設定項目Ａの既定値としてテンプレートデータに登録したとする。この場合、お気に入り画面に表示される設定項目Ａにはユーザが頻繁に設定する設定内容Ｘが既定値として設定されるので、ユーザはお気に入り画面に表示される設定項目Ａの設定内容をその後、頻繁に変更することはない。しかしながら、お気に入り画面には設定項目Ａが表示され続けることになる。
【００３８】
画像形成システム１においては、上記のような不都合が生じないように、設定内容既定値データと選択設定項目データの生成が行われる。画像形成システム１における設定内容既定値データと選択設定項目データの生成の方法は後述する。
【００３９】
設定アシストデータ生成装置１３６は、設定内容既定値データと選択設定項目データの生成に加え、採用不可設定内容データが示す採用できない設定内容を既定値として示さないように既に生成されている設定内容既定値データを変更する処理を行う。
【００４０】
設定アシストデータ選択部１３７は、複数のユーザの各々に応じて生成されている設定アシストデータのなかから、画像形成システム１の現在のユーザに応じた設定アシストデータを選択し、設定アシストデータ生成装置１３６に引き渡す。設定アシストデータ生成装置１３６は設定アシストデータ選択部１３７から引き渡された設定アシストデータに含まれる設定内容既定値データに対し上述した変更を行う。変更後の設定内容既定値データは、選択設定項目データとともに表示指示部１３４に引き渡される。
【００４１】
表示指示部１３４は、設定アシストデータ生成装置１３６から引き渡された設定内容既定値データと選択設定項目データを用いて設定画面を示す画像を生成し、生成した画像の表示をディスプレイ１２１に指示する。その結果、ディスプレイ１２１により、ユーザに応じた設定画面（いわゆるお気に入り画面）が表示される。図２はディスプレイ１２１に表示される設定画面を例示した図である。
【００４２】
図１に戻り、制御装置１３の構成の説明を続ける。制御装置１３は、さらに、各種データを記憶する記憶部１３８を備える。記憶部１３８には、ユーザの認証を行うためのユーザデータの集まりであるユーザデータテーブルと、画像形成処理において用いられる各種のフォントを示すフォントデータ群や各種のカラープロファイルを示すカラープロファイルデータ群を含むリソースデータ群と、互いに両立しない複数の設定内容の組み合わせを示す両立不可設定内容データの集まりである両立不可設定内容データテーブルと、互いに代替される複数の設定内容の組み合わせを示す代替可能設定内容データの集まりである代替可能設定内容データテーブルが記憶されている。これらのデータは、更新の頻度があまり高くないデータである。
【００４３】
記憶部１３８には、さらに、設定アシストデータ生成装置１３６により複数のユーザの各々に応じて生成された設定アシストデータの集まりである設定アシストデータ群が記憶される。設定アシストデータ群に含まれる設定アシストデータの各々は、既述のように設定内容規定値データと選択設定項目データを含む。設定アシストデータ群に含まれる設定アシストデータは、画像形成処理が予め定められた回数だけ実行される毎に更新される。
【００４４】
記憶部１３８には、さらに、オリジナル設定内容既定値データが記憶される。オリジナル設定内容既定値データは、画像形成システム１の工場出荷時に設定されている設定内容の規定値を示すデータである。オリジナル設定内容既定値データに示される複数の設定内容には競合は生じない。オリジナル設定内容既定値データは通常、更新されることはない。
【００４５】
記憶部１３８には、さらに、採用不可設定内容データが記憶される。採用不可設定内容データは、例えば画像形成装置１１において第２排出トレイが取り外された等のイベントが発生し、画像形成装置１１による画像形成処理において採用できない設定内容に変更が生じた場合に更新される。
【００４６】
記憶部１３８には、さらに、画像形成処理に用いられるコンテンツデータが記憶される。コンテンツデータはユーザにより画像形成処理の指示が行われるとコンテンツデータ取得部１３１により取得されて記憶部１３８に記憶され、当該コンテンツデータを用いる画像形成処理が完了すると記憶部１３８から削除される。
【００４７】
記憶部１３８には、さらに、過去に実行された画像形成処理において採用された設定内容等の履歴を示す履歴データが記憶される。履歴データは、画像形成処理の実行に伴い更新される。
【００４８】
図３は、履歴データの構成を例示した図である。履歴データは、過去に実行された画像形成処理においてユーザにより行われた設定内容の変更操作の各々に関するデータレコード（以下、「履歴レコード」という）の集まりである。すなわち、履歴レコードの各々は、画像形成処理が行われるときのユーザに応じた設定内容既定値データが示す既定値から変更された設定内容を示す。履歴データは、設定内容の既定値からの変更が行われた日時を格納する「日時」欄、画像形成処理の識別情報を格納する「処理ＩＤ」欄、画像形成の対象のコンテンツデータの識別情報を格納する「コンテンツデータ」欄、画像形成処理の指示を行ったユーザの識別情報を格納する「ユーザ」欄、画像形成処理の指示において採用された指示態様の識別情報を格納する「指示態様」欄、設定内容の変更が行われた設定項目の識別情報を格納する「変更設定項目」欄、変更後の設定内容を格納する「変更設定内容」欄を有している。指示態様とは、画像形成処理の指示においてホスト装置３で用いられたドライバやアプリケーションプログラムの種別、画像形成装置１１が記憶装置２またはホスト装置３からコンテンツデータを取得する際に用いられた通信プロトコルの種別等である。なお、処理ＩＤが共通する履歴データの「コンテンツデータ」欄、「ユーザ」欄、「指示態様」欄には共通の情報が格納される。
【００４９】
履歴データから処理ＩＤ毎に抽出される履歴レコードは、処理ＩＤにより識別される過去に行われた画像形成処理において採用された設定内容の履歴を示す。すなわち、「ユーザ」欄に格納されている識別情報により識別されるユーザに応じた設定内容既定値データが示す設定内容の既定値と、履歴レコードの各々の「変更設定項目」欄および「変更設定内容」欄に格納される既定値から変更された設定内容とにより、処理ＩＤにより識別される画像形成処理において実際に採用された設定内容が特定される。
【００５０】
図４は、両立不可設定内容データテーブルの構成を例示した図である。両立不可設定内容データテーブルは、指定される設定内容の設定項目の識別情報を格納する「指定設定項目」欄、指定される設定内容を格納する「指定設定内容」欄、指定される設定内容と両立しない設定内容の設定項目の識別情報を格納する「競合設定項目」欄、指定される設定内容と両立しない設定内容を格納する「競合設定内容」欄を有している。
【００５１】
図５は、設定内容既定値データの構成を例示した図である。設定内容既定値データは、設定項目の識別情報を格納する「設定項目」欄と、設定項目における設定内容の既定値を格納する「設定内容」欄を有している。なお、オリジナル設定内容既定値データの構成は設定内容既定値データの構成と同じである。
【００５２】
図６は、選択設定項目データの構成を例示した図である。選択設定項目データは、お気に入り画面（図２）において表示される設定項目の識別情報を格納する「設定項目」欄を有している。
【００５３】
図７は、代替可能設定内容データテーブルの構成を例示した図である。代替可能設定内容データテーブルは、指定される設定内容の設定項目の識別情報を格納する「指定設定項目」欄、指定される設定内容を格納する「指定設定内容」欄、指定される設定内容の代わりに採用可能な設定内容を格納する「代替設定内容」欄を有している。以上が、記憶部１３８に記憶される各種データの説明である。
【００５４】
続いて、設定アシストデータ生成装置１３６による設定アシストデータ、すなわち、設定内容既定値データおよび選択設定項目データの生成に関し説明する。設定アシストデータ生成装置１３６は、例えばコンピュータがプログラムに従った処理を行うことによって実現される。もしくは、設定アシストデータ生成装置１３６が、専用の論理集積回路等により実現されてもよい。
【００５５】
図８は、設定アシストデータ生成装置１３６の構成を示した図である。以下に、設定アシストデータ生成装置１３６の構成を説明する。
【００５６】
履歴データ取得部２０１は、履歴データから「日時」欄に格納される日時が新しい順に、予め定められた数の履歴レコードを読み出して取得する。履歴データ抽出部２０２は、履歴データ取得部２０１により取得された履歴レコードから、「ユーザ」欄に指定されたユーザの識別情報が格納されている履歴レコードを抽出する。
【００５７】
最頻値特定部２０３は、複数の設定項目の各々に関し、履歴データ抽出部２０２により抽出された履歴レコードが示す設定内容の最頻値および当該最頻値の頻度である最頻値頻度を特定する。例えば、設定項目「排出トレイ」において設定内容の選択肢として「トレイ１」、「トレイ２」、「トレイ３」があり、履歴レコードに基づき、「トレイ１」が採用された回数が１０回、「トレイ２」が採用された回数が１５回、「トレイ３」が採用された回数が８回であったと特定された場合、最頻値特定部２０３は「トレイ２」を最頻値として特定し、また、「トレイ２」が採用された回数「１５」を最頻値頻度として特定する。
【００５８】
既定値選択部２０４は、複数の設定項目の各々に関し、最頻値特定部２０３により特定された最頻値を設定内容の既定値として選択し、当該既定値を示す新たな設定内容既定値データを生成する。
【００５９】
両立不可設定内容データ取得部２０５は、記憶部１３８から両立不可設定内容データを読み出して取得する。
【００６０】
既定値選択部２０４は、両立不可設定内容データ取得部２０５により取得された両立不可設定内容データが示す互いに競合する設定内容が含まれないように、新たに生成した設定内容既定値データを修正する。
【００６１】
既定値選択部２０４は以下の手順に従い新たに生成した設定内容既定値データを修正する。まず、既定値選択部２０４は、新たに生成した設定内容既定値データが示す設定内容を、最頻値頻度が大きい順に１つずつ選択する。続いて、既定値選択部２０４は、両立不可設定内容データを参照し、選択した設定項目を指定設定内容とした場合の競合設定内容を検索する。競合設定内容が検索された場合、既定値選択部２０４は、新たに生成した設定内容既定値データが示す設定内容のうち、選択している設定内容よりも最頻値頻度が小さい設定内容のなかから、検索された競合設定内容を検索する。競合設定内容が検索された場合、既定値選択部２０４はオリジナル設定内容既定値データを参照し、検索された設定内容を工場出荷時の既定値で置換する。既定値選択部２０４は、上記の処理を新たに生成した設定内容既定値データが示す設定内容の全てに関し繰り返す。その結果、互いに競合する設定内容が含まれない既定値の組み合わせを示す設定内容既定値データが修正後の設定内容既定値データとして生成される。
【００６２】
それまで記憶部１３８に記憶されていた設定内容既定値データは、既定値選択部２０４により新たに生成され競合の解消された設定内容既定値データにより上書きされる。
【００６３】
不一致頻度特定部２０６は、複数の設定項目の各々に関し、画像形成処理が行われたときの設定内容の既定値と、履歴データ抽出部２０２により抽出された履歴レコードが示す画像形成処理において採用された設定内容とが一致しない頻度である不一致頻度を特定する。本実施形態において履歴レコードの各々は既定値から変更された設定内容を示す。従って、或るユーザに関し履歴データ抽出部２０２により抽出された履歴レコードを「変更設定項目」欄に格納されている設定項目の識別情報でグループ化すると、それらのグループの各々に属する履歴レコードの数が、グループに応じた設定項目の不一致頻度となる。また、グループが生成されなかった設定項目は、既定値から設定内容が１度も変更されなかった設定項目であるため、不一致頻度は「０」となる。
【００６４】
設定項目選択部２０７は、不一致頻度特定部２０６により特定された不一致頻度と最頻値特定部２０３により特定された最頻値頻度とに基づき、設定画面（図２）に表示される新たな設定項目を選択し、選択した設定項目を示す選択設定項目データを生成する。具体的には、設定項目選択部２０７は、設定項目を、不一致頻度が大きい順に、最頻値頻度が予め定められた閾値以上の設定項目を除外しながら、予め定められた数だけ選択し、選択した設定項目を示す新たな選択設定項目データを生成する。
【００６５】
最頻値頻度が予め定められた閾値以上の設定項目は、既定値選択部２０４が新たに生成する設定内容既定値データにより既定値が最頻値に変更される可能性が高く、その場合、ユーザにより頻繁に変更されなくなる設定項目である。従って、設定項目選択部２０７は、不一致頻度が大きくても、最頻値頻度が大きい設定項目は新たな選択設定項目データが示す設定項目から除外することで、新たな設定内容既定値データが示す既定値が用いられる場合に、設定画面（図２）においてユーザにより設定内容の変更が行われる頻度が低い設定項目が表示されないようにする。
【００６６】
設定項目選択部２０７は、上記のように不一致頻度および最頻値頻度に基づき生成した選択設定項目データを、両立不可設定内容データ取得部２０５により取得された両立不可設定内容データに基づき修正する。具体的には、設定項目選択部２０７は、両立不可設定内容データを参照し、新たに生成した選択設定項目データが示す設定項目の各々に関し、当該設定項目を指定設定項目とした場合の競合設定項目を検索する。競合設定項目が検索された場合、設定項目選択部２０７は検索された競合設定項目が選択設定項目データにおいて指定設定項目の次に示されるように、選択設定項目データを修正する。
【００６７】
上記のように修正された選択設定項目データに従い表示される設定画面においては、ユーザが頻繁に設定内容の変更を行う設定項目の近くに、当該設定項目の設定内容と競合する可能性のある設定内容の設定項目が表示されることになる。
【００６８】
それまで記憶部１３８に記憶されていた選択設定項目データは、設定項目選択部２０７により新たに生成され競合設定項目の追加された選択設定項目データにより上書きされる。
【００６９】
設定内容既定値データ取得部２０８は、ユーザが新たな画像形成処理の指示を行うために設定画面を開く操作を行った際に、設定アシストデータ選択部１３７により選択された当該ユーザに応じた設定アシストデータに含まれる設定内容既定値データを取得する。
【００７０】
採用不可設定内容データ取得部２０９は、ユーザが新たな画像形成処理の指示を行うために設定画面を開く操作を行った際に、記憶部１３８から採用不可設定内容データを読み出して取得する。代替可能設定内容データ取得部２１０は、ユーザが新たな画像形成処理の指示を行うために設定画面を開く操作を行った際に、記憶部１３８から代替可能設定内容データを読み出して取得する。
【００７１】
既定値変更部２１１は、ユーザが新たな画像形成処理の指示を行うために設定画面を開く操作を行った際に、設定内容既定値データ取得部２０８により取得された設定内容既定値データが示す設定項目の既定値のなかに、採用不可設定内容データ取得部２０９により取得された採用不可設定内容データが示す採用できない設定項目が含まれないように、設定内容既定値データを変更する。具体的には、既定値変更部２１１は、代替可能設定内容データを参照して、採用不可設定内容データが示す採用できない設定項目を指定設定内容とした場合の代替設定内容を特定する。続いて、既定値変更部２１１は、特定した代替設定内容を既定値として示すように、設定内容既定値データを変更する。
【００７２】
既定値変更部２１１により変更された設定内容既定値データは、設定アシストデータ選択部１３７（図１参照）に引き渡される。設定アシストデータ選択部１３７は、画像形成処理を指示したユーザに応じた選択設定項目データと、設定アシストデータ生成装置１３６により変更された設定内容既定値データとを表示指示部１３４に引き渡す。表示指示部１３４は、設定アシストデータ選択部１３７から受け取った選択設定項目データおよび設定内容既定値データを用いて設定画面を生成し、ディスプレイ１２１に設定画面の表示を指示する。その結果、ユーザが頻繁に設定内容を変更する設定項目が設定画面に表示される。その際、ユーザが過去に頻繁に設定内容を変更していた設定項目であっても、過去にユーザが頻繁に設定を行った設定内容が既定値として登録されている設定項目については、もはや設定内容の変更を頻繁に行う必要がないため、設定画面に表示されない。
【００７３】
図９は、設定アシストデータ生成装置１３６が新たな設定内容既定値データおよび選択設定項目データを生成するために行う処理のフローを示した図である。図９に示すフローは、最後にこのフローに従った処理が行われた後、履歴データに新たに追加された履歴レコードが予め定められた閾値を超過した場合に実行される。
【００７４】
設定アシストデータ生成装置１３６は、まず、処理の対象となる新たに追加された履歴レコードの「ユーザ」欄に示されるユーザのリスト（以下、「ユーザリスト」という）を作成する（ステップＳ１０１）。続いて、設定アシストデータ生成装置１３６はユーザリストからユーザを１人選択し（ステップＳ１０２）、履歴レコードのなかから、選択したユーザに応じた履歴レコードを抽出する（ステップＳ１０３）。
【００７５】
続いて、設定アシストデータ生成装置１３６は抽出した履歴レコードに基づき、複数の設定項目の各々に関し、画像形成処理において採用された設定内容の最頻値および最頻値頻度を特定する（ステップＳ１０４）。続いて、設定アシストデータ生成装置１３６は特定した最頻値を既定値として示す設定内容既定値データを生成する（ステップＳ１０５）。続いて、設定アシストデータ生成装置１３６は両立不可設定内容データおよびオリジナル設定内容既定値データを参照して、競合する設定項目を示さないように、ステップＳ１０５において生成した設定内容既定値データを修正する（ステップＳ１０６）。
【００７６】
続いて、設定アシストデータ生成装置１３６は抽出した履歴レコードに基づき、複数の設定項目の各々に関し、設定内容が変更された回数である不一致頻度を特定する（ステップＳ１０７）。続いて、設定アシストデータ生成装置１３６は、特定した不一致頻度が大きい順に、最頻値頻度が予め定められた閾値以下の設定項目を、予め定められた数だけ選択し、選択した設定項目を示す選択設定項目データを生成する（ステップＳ１０８）。続いて、設定アシストデータ生成装置１３６は、ステップＳ１０８において生成した選択設定項目データに示される設定項目と競合する可能性のある設定項目を示すように、選択設定項目データを修正する（ステップＳ１０９）。
【００７７】
続いて、設定アシストデータ生成装置１３６は、ユーザリストに含まれるユーザの全てに関しステップＳ１０２〜Ｓ１０９の処理が行われたかを判定する（ステップＳ１１０）。ユーザリストに含まれるいずれかのユーザに関しステップＳ１０２〜Ｓ１０９の処理がまだ行われていない場合（ステップＳ１１０；Ｎｏ）、設定アシストデータ生成装置１３６は処理をステップＳ１０２に戻し、まだ処理が行われていないユーザを選択し（ステップＳ１０２）、ステップＳ１０３以降の処理を繰り返す。ユーザリストに含まれる全てのユーザに関しステップＳ１０２〜Ｓ１０９の処理が行われた場合（ステップＳ１１０；Ｙｅｓ）、設定アシストデータ生成装置１３６は一連の処理を終了する。
【００７８】
上述した画像形成システム１によれば、ユーザは頻繁に設定内容を変更するが設定内容が頻繁に変わる設定項目に関しては、所謂お気に入り画面と呼ばれる設定画面において設定内容の変更を行うことができる。一方、過去に頻繁に設定内容の変更を行ったが、高い頻度で同じ設定内容に変更していた設定項目に関しては、高い頻度で変更された後の設定内容が所謂テンプレートに既定値として登録され、当該設定項目はお気に入り画面には表示されない。従って、ユーザが行う設定作業の負担が軽減される。
【００７９】
［変形例］
上述した実施形態は一具体例であって、本発明の技術的思想の範囲内で様々に変形可能である。以下にそれらの変形の例を示す。なお、上述した実施形態と以下に例示する変形例はそれらの２以上が組み合わされてもよい。
【００８０】
（１）上述した実施形態においては、新たな選択設定項目データの生成において、設定アシストデータ生成装置１３６は、複数の設定項目の各々に関し、過去に行われた画像形成処理においてユーザにより設定内容の変更が行われた回数である不一致頻度と、過去に行われた画像形成処理において採用された設定内容の最頻値頻度とに基づき、設定項目の選択を行う。これに代えて、設定アシストデータ生成装置１３６が、過去に行われた画像形成処理において採用された設定内容の最頻値頻度に基づき新たに生成した設定内容既定値データが示す既定値と、過去に行われた画像形成処理において採用された設定内容とが一致しない数である不一致頻度を特定し、当該不一致頻度に基づき、新たな選択設定項目データを生成する構成が採用されてもよい。
【００８１】
図１０は、本変形例において、設定アシストデータ生成装置１３６が行う処理のフローを示した図である。なお、図１０のフローにおいて、図９のフローに示される処理と同様の処理が行われるステップには、図９において用いた符号が用いられている。
【００８２】
まず、設定アシストデータ生成装置１３６は、ステップＳ１０１〜Ｓ１０６の処理を行う。続いて、設定アシストデータ生成装置１３６は、複数の設定項目の各々に関し、ステップＳ１０５において生成した新たな設定内容既定値データが示す設定内容の既定値と、履歴レコードが示す過去の画像形成処理において採用された設定内容とが一致しない数である不一致頻度を特定する（ステップＳ２０１）。
【００８３】
このステップＳ２０１の処理において特定される不一致頻度は、上述した実施形態におけるステップＳ１０７において特定される不一致頻度（ユーザにより実際に設定内容の変更が行われた回数）と異なり、ステップＳ１０５において新たに生成した設定内容既定値データが示す設定内容の既定値が過去に用いられていたと仮定した場合に、ユーザにより設定内容の変更が行われたと推定される回数である。換言すれば、ステップＳ２０１において特定される不一致頻度は、ステップＳ１０５において生成された設定内容既定値データが用いられる将来において、過去に行われた画像形成処理において採用された設定内容が同様の頻度で採用されると仮定した場合に、ユーザが設定内容を変更すると推定される回数である。
【００８４】
続いて、設定アシストデータ生成装置１３６は、ステップＳ２０１において特定した設定項目毎の不一致頻度に基づいて、新たな選択設定項目データを生成する（ステップＳ２０２）。
【００８５】
このステップＳ２０２の処理においては、設定項目毎の最頻値頻度が設定項目の選択において用いられない点が、上述した実施形態におけるステップＳ１０８の処理と異なっている。ステップＳ２０１において特定される不一致頻度は、新たな設定内容既定値データが用いられる場合の不一致頻度であるため、本変形例においては、最頻値頻度が大きい設定項目の不一致頻度は小さくなる。従って、本変形例においては、最頻値頻度が大きい設定項目を新たな選択設定項目データが示す設定項目から除外する必要はない。
【００８６】
従って、ステップＳ２０２において、設定アシストデータ生成装置１３６は、ステップＳ２０１において特定した不一致頻度が大きい順に予め定められた数の設定項目を選択し、選択した設定項目を示す新たな選択設定項目データを生成する。
【００８７】
設定アシストデータ生成装置１３６は、ステップＳ２０２の処理に続き、ステップＳ１０９を行った後、ステップＳ１１０の判定結果に従い、未処理のユーザに関するステップＳ１０２以降の処理を繰り返すか、もしくは一連の処理を終了する。
【００８８】
（２）複数の画像形成システム１が同じユーザ群により使用される場合、或る画像形成システム１の設定アシストデータ生成装置１３６が、それら複数の画像形成システム１のための設定内容既定値データおよび選択設定項目データを生成する構成が採用されてもよい。
【００８９】
この変形例にかかる画像形成システム１の記憶部１３８には、複数の画像形成システム１の画像形成装置１１の各々において行われる画像形成処理に関する設定内容のうち同種の設定内容の組み合わせを示す同種設定内容データが記憶されている。
【００９０】
図１１は、同種設定内容データの構成を例示した図である。同種設定内容データは、設定項目の標準的表現を格納する「標準設定項目」欄、標準設定項目に応じた同種の設定項目の表現を格納する「同種設定項目」欄、設定内容の標準的表現を格納する「標準設定内容」欄、標準設定内容に応じた同種の設定内容の表現を格納する「同種設定内容」欄を有している。この変形例の設定アシストデータ生成装置１３６は、同種設定内容データを読み出して取得する同種設定内容データ取得部を備える。
【００９１】
図１２は、この変形例において設定アシストデータ生成装置１３６が行う処理のフローを示した図である。設定アシストデータ生成装置１３６は、自装置が属する画像形成システム１とは異なる画像形成システム１の各々から、履歴レコードを受信する（ステップＳ３０１）。
【００９２】
続いて、設定アシストデータ生成装置１３６は、自装置の履歴レコードと、ステップＳ３０１において受信した履歴レコードの各々に関し、同種設定内容データに従い、設定項目および設定内容の表現を標準設定項目および標準設定内容の表現に変更する（ステップＳ３０２）。これにより、異なる画像形成システム１において同種の設定内容に関し用いられている様々な表現が統一される。
【００９３】
続いて、設定アシストデータ生成装置１３６は、ステップＳ３０２において変更を加えた履歴レコードを用いて、設定内容既定値データおよび選択設定項目データを生成する（ステップＳ３０３）。
【００９４】
続いて、設定アシストデータ生成装置１３６の既定値選択部２０４は、ステップＳ３０１において受信した履歴レコードの送信元毎に、ステップＳ３０３において生成した設定内容既定値データが示す設定項目および設定内容の表現を、当該送信元において用いられている設定項目および設定内容の表現に変更する（ステップＳ３０４）。
【００９５】
また、設定アシストデータ生成装置１３６の設定項目選択部２０７は、ステップＳ３０１において受信した履歴レコードの送信元毎に、ステップＳ３０３において生成した選択設定項目データが示す設定項目の表現を、当該送信元において用いられている設定項目の表現に変更する（ステップＳ３０５）。
【００９６】
続いて、設定アシストデータ生成装置１３６は、ステップＳ３０１において受信した履歴レコードの送信元の各々に関し、ステップＳ３０４において当該送信元に応じて変更を加えた設定内容既定値データと、Ｓ３０５において当該送信元に応じて変更を加えた選択設定項目データを送信する（ステップＳ３０６）。
【００９７】
この変形例によれば、同じユーザ群により使用される複数の画像形成システム１が有する画像形成装置１１が互いに異なる仕様であっても、これらの複数の画像形成システム１において共通性のある設定画面が表示される。
【００９８】
（３）上述した実施形態においては、設定アシストデータ生成装置１３６は複数のユーザの各々に関し、設定アシストデータを生成する。これに代えて、設定アシストデータ生成装置１３６が、全ユーザに共通の設定アシストデータを生成してもよい。また、設定アシストデータ生成装置１３６が、履歴データに示される画像形成処理の属性の種別のうちユーザ以外の属性の種別に関し、当該属性の種別における複数の属性の各々に関し設定アシストデータを生成する構成が採用されてもよい。
【００９９】
例えば、設定内容既定値データおよび選択設定項目データの生成において、履歴データ抽出部２０２が、履歴レコードの「指示態様」欄の内容に基づき抽出を行い、既定値選択部２０４と設定項目選択部２０７が、複数の指示態様の各々に関し、設定内容既定値データと選択設定項目データを生成する構成が採用されてもよい。また、履歴データ抽出部２０２が、履歴レコードの特定の設定項目欄（例えば、「排紙トレイ」欄）の内容に基づき抽出を行い、既定値選択部２０４と設定項目選択部２０７が、当該特定の設定項目における複数の設定内容の各々に関し、設定内容既定値データと選択設定項目データを生成する構成が採用されてもよい。さらに、複数の異なる種別の属性の組み合わせ毎に、設定内容既定値データおよび選択設定項目データが生成されてもよい。
【０１００】
（４）上述した実施形態においては、選択設定項目データが示す設定項目は、不一致頻度が大きい順に予め定められた数だけ選択された設定項目である。これに代えて、例えば、不一致頻度が予め定められた閾値より大きい設定項目が選択設定項目データにより示される設定項目として選択されてもよい。
【０１０１】
（５）上述した実施形態においては、新たな設定アシストデータの生成の処理は、最後に設定アシストデータが生成された後に新たに履歴データに追加された履歴レコードの数、すなわち、最後に設定アシストデータが生成された後に実行された画像形成処理の数が予め定められた閾値を超えた場合に実行される。新たな設定アシストデータの生成の処理が実行されるトリガはこれに限られず、例えば、予め定められた時間が経過したというイベントや、ユーザによる特定の操作が行われたというイベントなど、他のイベントの発生がトリガとして用いられてもよい。
【０１０２】
（６）上述した実施形態においては、既定値選択部２０４は、競合する設定内容を含まない設定内容既定値データを１つ生成する。これに代えて、既定値選択部２０４が、競合する設定内容の一方を含む設定内容既定値データと、他方を含む設定内容既定値データという具合に、競合する設定内容を含まない設定内容既定値データを複数生成する構成が採用されてもよい。この場合、ユーザは画像形成システム１において提示される複数の設定内容既定値データのうちいずれか１つを選択して用いることになる。
【０１０３】
（７）上述した実施形態において、採用不可設定内容データは画像形成装置１１において採用できない設定内容を明示するものとしたが、採用不可設定内容データが画像形成装置１１において採用できる設定内容を明示することにより画像形成装置１１において採用できない設定内容を示す構成が採用されてもよい。
【０１０４】
（８）設定アシストデータ生成装置１３６がコンピュータにより実現される場合、コンピュータを設定アシストデータ生成装置１３６として動作させるためのプログラムは、磁気記録媒体、光記録媒体、光磁気記録媒体、半導体メモリなどのコンピュータが読み取り可能な記録媒体に記録された状態で提供されても、インターネットなどのネットワーク経由でダウンロードされる形で提供されてもよい。
【符号の説明】
【０１０５】
１…画像形成システム、２…記憶装置、３…ホスト装置、１１…画像形成装置、１２…タッチディスプレイ、１３…制御装置、１２１…ディスプレイ、１２２…タッチパネル、１３１…コンテンツデータ取得部、１３２…画像形成制御部、１３３…採用不可設定内容データ取得部、１３４…表示指示部、１３５…操作データ取得部、１３６…設定アシストデータ生成装置、１３７…設定アシストデータ選択部、１３８…記憶部、２０１…履歴データ取得部、２０２…履歴データ抽出部、２０３…最頻値特定部、２０４…既定値選択部、２０５…両立不可設定内容データ取得部、２０６…不一致頻度特定部、２０７…設定項目選択部、２０８…設定内容既定値データ取得部、２０９…採用不可設定内容データ取得部、２１０…代替可能設定内容データ取得部、２１１…既定値変更部               
【図１】
0006531595.tif 000002
【図２】
0006531595.tif 000003
【図３】
0006531595.tif 000004
【図４】
0006531595.tif 000005
【図５】
0006531595.tif 000006
【図６】
0006531595.tif 000007
【図７】
0006531595.tif 000008
【図８】
0006531595.tif 000009
【図９】
0006531595.tif 000010
【図１０】
0006531595.tif 000011
【図１１】
0006531595.tif 000012
【図１２】
0006531595.tif 000013